(57)【要約】【課題】１つのボルトにより簡単かつ確実に締結固定することができる安価なモータの締結部構造を提供する。【解決手段】モータ２０に取付ブラケット３０をボルト４０により締結固定するようにしたモータ２０の締結部構造において、モータ２０と取付ブラケット３０の相互の合わせ面に凹凸面としてのＷ形状の波状面２３ａ，３３ａをそれぞれ設け、これらのＷ形状の波状面２３ａ，３３ａを嵌め合わせた状態で、１つのボルト４０によりモータ２０に取付ブラケット４０を締結固定するようにした。【選択図】図１
2009291009.tif 000002
【特許請求の範囲】
【請求項１】
被取付体に取付体を締結手段により締結固定するようにした被取付体の締結部構造において、
前記被取付体と前記取付体の相互の合わせ面に凹凸面をそれぞれ設け、これらの凹凸面を嵌め合わせた状態で１つの前記締結手段により締結固定したことを特徴とする被取付体の締結部構造。
【請求項２】
請求項１記載の被取付体の締結部構造であって、
前記凹凸面をＷ形状の波状面としたことを特徴とする被取付体の締結部構造。
【請求項３】
モータに取付ブラケットをボルトにより締結固定するようにしたモータの締結部構造において、
前記モータと前記取付ブラケットの相互の合わせ面に凹凸面をそれぞれ設け、これらの凹凸面を嵌め合わせた状態で１つの前記ボルトにより締結固定したことを特徴とするモータの締結部構造。
【請求項４】
請求項３記載のモータの締結部構造であって、
前記凹凸面をＷ形状の波状面としたことを特徴とするモータの締結部構造。
【発明の詳細な説明】
【技術分野】
【０００１】
本発明は、ボルト等を締結手段として用いた被取付体の締結部構造及びモータの締結部構造に関する。
【背景技術】
【０００２】
この種のモータの締結部構造として、ワイパ装置に用いられる図４に示すものがある（例えば、特許文献１参照。）。
【０００３】
このワイパ装置１は、図４に示すように、両端２ａ，２ｂに図示しないワイパアームを揺動させるピボット軸３ａ，４ａを有した一対のピボットホルダ３，４を締結固定した金属製で円筒状のパイプフレーム２を有している。この一方のピボットホルダ３はモータ５と共に取付ブラケット６と一対のボルト７，７を介してパイプフレームの２の一端２ａ側に締結固定されている。
【０００４】
【特許文献１】特開２００６−１７６１２７号公報（図７）
【発明の開示】
【発明が解決しようとする課題】
【０００５】
しかしながら、前記従来のモータ５では、パイプフレーム２に取付ブラケット６を介して締結固定する際に、回り止めや緩み防止の観点から一対のボルト７，７による２箇所の締結が必要不可欠であるため、その分、部品点数が多くなって組付け工数がかかると共に、コスト高であった。
【０００６】
そこで、本発明は、前記した課題を解決すべくなされたものであり、１つのボルト等の締結手段により簡単かつ確実に締結固定することができる安価な被取付体の締結部構造及びモータの締結部構造を提供することを目的とする。
【課題を解決するための手段】
【０００７】
請求項１の発明は、被取付体に取付体を締結手段により締結固定するようにした被取付体の締結部構造において、前記被取付体と前記取付体の相互の合わせ面に凹凸面をそれぞれ設け、これらの凹凸面を嵌め合わせた状態で１つの前記締結手段により締結固定したことを特徴とする。
【０００８】
請求項２の発明は、請求項１記載の被取付体の締結部構造であって、前記凹凸面をＷ形状の波状面としたことを特徴とする。
【０００９】
請求項３の発明は、モータに取付ブラケットをボルトにより締結固定するようにしたモータの締結部構造において、前記モータと前記取付ブラケットの相互の合わせ面に凹凸面をそれぞれ設け、これらの凹凸面を嵌め合わせた状態で１つの前記ボルトにより締結固定したことを特徴とする。
【００１０】
請求項４の発明は、請求項３記載のモータの締結部構造であって、前記凹凸面をＷ形状の波状面としたことを特徴とする。
【発明の効果】
【００１１】
以上説明したように、請求項１の発明によれば、被取付体と取付体の相互の合わせ面に凹凸面をそれぞれ設け、これらの凹凸面を嵌め合わせた状態で１つの締結手段により締結固定したことにより、１つの締結手段により簡単かつ確実に低コストで被取付体に取付体を締結固定することができる。
【００１２】
請求項２の発明によれば、凹凸面をＷ形状の波状面としたことにより、１つの締結手段の締結と同時に、被取付体に取付体をガタ付くことなく確実に回り止めや緩み止めした状態で締結固定することができる。
【００１３】
請求項３の発明によれば、モータと取付ブラケットの相互の合わせ面に凹凸面をそれぞれ設け、これらの凹凸面を嵌め合わせた状態で１つのボルトにより締結固定したことにより、１つのボルトにより簡単かつ確実に低コストでモータに取付ブラケットを結固定することができる。
【００１４】
請求項４の発明によれば、凹凸面をＷ形状の波状面としたことにより、１つのボルトの締結と同時に、モータに取付ブラケットをガタ付くことなく確実に回り止めや緩み止めした状態で締結固定することができる。
【発明を実施するための最良の形態】
【００１５】
以下、本発明の一実施形態を図面に基づいて説明する。
【００１６】
図１は本発明の一実施形態のモータの締結部構造の締結前の状態を一部断面で示す斜視図、図２は同締結部構造の締結状態を示す斜視図、図３は同締結部構造の要部の拡大断面図である。
【００１７】
このモータ２０の締結部構造は、図２に示すワイパ装置（ワイパピボット）１０に用いられるものである。即ち、ワイパ装置１０は、両端に一対のピボットホルダ１２，１２を締結固定した金属製で円筒状のパイプフレーム１１を備えている。このパイプフレーム１１の中央部には取付フレーム１３と一対のボルト１４，１４等を介してモータ２０を締結固定してある。そして、ピボットホルダ１２のワイパアームを揺動させるピボット軸（いずれも図示省略）は、モータ２０の出力軸２５に固定されたクランクアーム１５等から成るリンク機構を介して揺動されるようになっている。
【００１８】
図１及び図２に示すように、モータ２０は、図示しないアーマチュアを収納したヨーク２１と、このヨーク２１にネジ止めされ、出力軸２５を回転させる図示しない減速機構を収納したギヤケース２２と、このギヤケース２２を覆うギヤケースカバー２４とで構成されている。そして、モータ（被取付体）２０のギヤケース２２には、取付ブラケット（取付体）３０を１つのボルト（締結手段）４０を介して締結固定する円柱状の被締結部２３を一体突出形成してある。
【００１９】
図１及び図３に示すように、ギヤケース２２の円柱状の被締結部２３の上面はＷ形状の波状面（凹凸面）２３ａになっていると共に、その中央にはボルト４０のシャンク部４２が螺合されるねじ穴２３ｂを形成してある。
【００２０】
図１〜図３に示すように、取付ブラケット３０は、ゴムラバー３５を取り付ける大径の取付孔３２を有したブラケット本体部３１と、ボルト４０のシャンク部４２が挿通される小径の貫通孔３４を有した締結部３３とで段差状に形成してある。この締結部３３の下面はＷ形状の波状面（凹凸面）３３ａになっている。そして、このＷ形状の波状面３３ａはモータ２０に締結固定する際のギヤケース２２の円柱状の被締結部２３のＷ形状の波状面２３ａに嵌め合わされる合わせ面になっている。尚、図２に示すように、取付ブラケット３０のブラケット本体部３１はゴムラバー３５とボルト５０を介して車両側の取付板５１に締結固定されるようになっている。
【００２１】
以上実施形態のモータ２０の締結部構造によれば、モータ２０の円柱状の被締結部２３に取付ブラケット３０を締結固定する場合には、モータ２０の円柱状の被締結部２３のＷ形状の波状面２３ａに取付ブラケット３０の締結部３３のＷ形状の波状面３３ａを嵌め合わせる。この状態からモータ２０の円柱状の被締結部２３のねじ穴２３ｂにボルト４０のシャンク部４２を螺合すると、図３に示すように、取付ブラケット３０の締結部３３は、ボルト４０の締結と同時に、モータ２０の円柱状の被締結部２３のＷ形状の波状面２３ａとボルト４０のヘッド部４１との間でガタ付くことなく、回り止めや緩み止めされて確実に締結固定される。
【００２２】
このように、モータ２０の円柱状の被締結部２３と取付ブラケット３０の締結部３３の相互の合わせ面に凹凸面としてＷ形状の波状面２３ａ，３３ａをそれぞれ形成し、これらのＷ形状の波状面２３ａ，３３ａを嵌め合わせた状態で１つのボルト４０により締結固定したことにより、１つのボルト４０でモータ２０に取付ブラケット３０をガタ付くことなく確実に回り止めや緩み止めした状態で締結固定することができる。その結果、従来の２箇所の締結を必要とするものに比べて、部品点数及び組付け工数を削減することができて、その分、低コスト化を図ることができ、モータ２０と取付ブラケット３０の締結状態の信頼性を向上させることができる。
【００２３】
尚、前記実施形態によれば、被取付体としてのモータに取付体としての取付ブラケットを締結固定する場合について説明したが、被取付体としてワイパ装置のパイプフレームに取付体としてのピボットホルダを１つのボルト等の締結手段により締結固定する場合にも前記実施形態を適用できることは勿論である。また、締結手段はボルトに限られるものではない。
【図面の簡単な説明】
【００２４】
【図１】本発明の一実施形態のモータの締結部構造の締結前の状態を一部断面で示す斜視図である。
【図２】上記モータの締結部構造の締結状態を示す斜視図である。
【図３】上記モータの締結部構造の要部の拡大断面図である。
【図４】従来のモータの締結部構が用いられるワイパ装置の斜視図である。
【符号の説明】
【００２５】
２０  モータ（被取付体）
２３ａ  Ｗ形状の波状面（凹凸面）
３０  取付ブラケット（取付体）
３３ａ  Ｗ形状の波状面（凹凸面）
４０  ボルト（締結手段）
【図１】
2009291009.tif 000003
【図２】
2009291009.tif 000004
【図３】
2009291009.tif 000005
【図４】
2009291009.tif 000006